(57)【要約】【課題】シャワーヘッドが落下する危険性をなくすことができるシャワーヘッドの落下防止構造を提供する。【解決手段】シャワー給水管１の先端に袋ナット４を設けると共にシャワーヘッド２のシャワーヘッド本体５の背面の略中央に設けた接続筒６の外周の雄ねじ部７を袋ナット４に螺合してシャワー給水管１にシャワーヘッド本体５を装着する。シャワーヘッド本体５の背面を覆うようにシャワーヘッド本体５に装着したカバー８の略中央に設けた挿通孔９に袋ナット４の外周を挿通する。袋ナット４の外周に外方に突出するように設けた係止鍔１０に係止鍔１０よりシャワー給水管１側に位置するカバー８の挿通孔９の孔縁を係止させて接続筒６の雄ねじ部７と袋ナット４の緩み止めをする。【選択図】        図１
2006006615.tif 000002
【特許請求の範囲】
【請求項１】
シャワー給水管の先端に袋ナットを設けると共にシャワーヘッドのシャワーヘッド本体の背面の略中央に設けた接続筒の外周の雄ねじ部を袋ナットに螺合してシャワー給水管にシャワーヘッド本体を装着し、シャワーヘッド本体の背面を覆うようにシャワーヘッド本体に装着したカバーの略中央に設けた挿通孔に袋ナットの外周を挿通し、袋ナットの外周に外方に突出するように設けた係止鍔に係止鍔よりシャワー給水管側に位置するカバーの挿通孔の孔縁を係止させて接続筒の雄ねじ部と袋ナットの緩み止めをしたことを特徴とするシャワーヘッドの落下防止構造。
【請求項２】
シャワー給水管の先端に球面部を設けると共にこの球面部の手前に袋ナットを回転自在に装着し、接続筒に袋ナットを螺合した状態で接続筒内の球面受部に上記球面部を回転自在に支持してシャワーヘッド本体を首振り自在にしたことを特徴とする請求項１記載のシャワーヘッドの落下防止構造。
【請求項３】
シャワーヘッド本体の背面の周方向に複数の係合突起を設けると共にカバーの周方向に複数の被係合突起を設け、シャワーヘッド本体に対してカバーを回転することにより複数の係合突起に複数の被係合突起を係合させてシャワーヘッド本体に対してカバーを装着したことを特徴とする請求項１または請求項２記載のシャワーヘッドの落下防止構造。
【請求項４】
係合突起と被係合突起とを係合させたとき係合突起と被係合突起のいずれか一方に設けた密着用突起が他方に密着して係合が外れないようにしたことを特徴とする請求項３記載のシャワーヘッドの落下防止構造。
【発明の詳細な説明】
【技術分野】
【０００１】
本発明は、シャワー給水管からシャワーヘッドが落下するのを防止する構造に関するものである。
【背景技術】
【０００２】
近年、浴室やシャワールームの壁面の上部に鶴首形のシャワー給水管を設け、このシャワー給水管の先端にシャワーヘッドを装着したシャワー装置が提案されている（例えば、特許文献１参照）。
【０００３】
シャワー給水管１の先端にシャワーヘッド２を取り付ける場合、図１２（ａ）に示すようにボルトのような締め付けねじ３の締め付けにて取り付けている。
【特許文献１】特開２００３−２３０４９７号公報
【発明の開示】
【発明が解決しようとする課題】
【０００４】
ところが、上記のように締め付けねじ３の締め付けだけでシャワー給水管１にシャワーヘッド２を取り付ける構造だけであると、締め付けねじ３が緩むとシャワーヘッド２が図１２（ｂ）に示すように落下するおそれがあり、特にこの種のシャワーヘッドは大型であると危険であるという問題がある。
【０００５】
本発明は上記の従来の問題点に鑑みて発明したものであって、シャワーヘッドが落下する危険性をなくすことができるシャワーヘッドの落下防止構造を提供することを課題とするものである。
【課題を解決するための手段】
【０００６】
上記課題を解決するために本発明のシャワーヘッドの落下防止構造は、シャワー給水管１の先端に袋ナット４を設けると共にシャワーヘッド２のシャワーヘッド本体５の背面の略中央に設けた接続筒６の外周の雄ねじ部７を袋ナット４に螺合してシャワー給水管１にシャワーヘッド本体５を装着し、シャワーヘッド本体５の背面を覆うようにシャワーヘッド本体５に装着したカバー８の略中央に設けた挿通孔９に袋ナット４の外周を挿通し、袋ナット４の外周に外方に突出するように設けた係止鍔１０に係止鍔１０よりシャワー給水管１側に位置するカバー８の挿通孔９の孔縁を係止させて接続筒６の雄ねじ部７と袋ナット４の緩み止めをしたことを特徴とする。
【０００７】
このような構成によれば、シャワーヘッド本体５に装着したカバー８の挿通孔９の孔縁が袋ナット４の係止鍔１０に係止することで袋ナット４と雄ねじ部７の螺合の緩み止めがされ、袋ナット４と雄ねじ部７の螺合が外れてシャワーヘッド２が落下する危険を防止できる。またシャワーヘッド本体５の背面に装着されるカバー８を用いて緩み止めできるので緩み止めするのに特別な部品を要せず、部品点数を削減できると共に構造の簡素化が図れる。
【０００８】
またシャワー給水管１の先端に球面部１１を設けると共にこの球面部１１の手前に袋ナット４を回転自在に装着し、接続筒６に袋ナット４を螺合した状態で接続筒６内の球面受部１２に上記球面部１１を回転自在に支持してシャワーヘッド本体５を首振り自在にしたことを特徴とすることも好ましい。この場合、シャワーヘッド２を三次元的に首振りさせることができてシャワーヘッド２の向きを自在に変えて便利に使用できる。このようにシャワーヘッド２の向きを自在に変えることができるものでも上記のように緩み止めできるためにシャワーヘッド２の落下を確実に防止できる。
【０００９】
またシャワーヘッド本体５の背面の周方向に複数の係合突起１３を設けると共にカバー８の周方向に複数の被係合突起１４を設け、シャワーヘッド本体５に対してカバー８を回転することにより複数の係合突起１３に複数の被係合突起１４を係合させてシャワーヘッド本体５に対してカバー８を装着したことを特徴とすることも好ましい。このようにすることでシャワーヘッド本体５に対してカバー８を簡単に取り付けることができる。またカバー８を着脱自在に取り付けることができることにより袋ナット４と雄ねじ部７の螺合を外してシャワーヘッド本体５を取り外すことができ、メンテナンス等が容易にできる。
【００１０】
また係合突起１３と被係合突起１４とを係合させたとき係合突起１３と被係合突起１４のいずれか一方に設けた密着用突起１５が他方に密着して係合が外れないようにしたことを特徴とすることも好ましい。この場合、カバー８を係合突起１３と被係合突起１４の係合でシャワーヘッド本体５に装着するものでもカバー８が外れないように確実に装着できる。
【発明の効果】
【００１１】
本発明は叙述の如く構成されているので、シャワーヘッド本体に装着したカバーの挿通孔の孔縁が袋ナットの係止鍔に係止することで袋ナットと雄ねじ部の螺合の緩み止めがされ、袋ナットと雄ねじ部の螺合が外れてシャワーヘッドが落下する危険を防止できるという効果があり、またシャワーヘッド本体の背面に装着されるカバーを用いて緩み止めできるので緩み止めするのに特別な部品を要せず、部品点数を削減できると共に構造の簡素化が図れるという効果がある。
【発明を実施するための最良の形態】
【００１２】
以下、本発明を添付図面に示す実施形態に基いて説明する。
【００１３】
本発明のシャワー装置は、例えば、図１１に示すように浴室１７の洗い場１８の壁面に沿って設けられるものである。洗い場１８の壁面には湯水を混合する混合水栓からなるシャワー給水栓１９を設けてあり、このシャワー給水栓１９から上方にシャワー給水管１を連出してあり、このシャワー給水管１の上部が鶴首状に曲げられおり、シャワー給水管１の先端にシャワーヘッド２が装着してある。またシャワー給水栓１９からシャワーホース２０を導出してあり、シャワーホース２０にハンドシャワー２１を設けてある。
【００１４】
鶴首状に曲がったシャワー給水管１の先端には図１や図１０（ａ）に示すように球面部１１を設けてあり、シャワー給水管１には袋ナット４を回転自在に挿通してある。また袋ナット４と球面部１１との間にはリング状のストッパー２２と座金２３を挿通してあり、ストッパー２２が球面部１１の手前の首の溝１１ａに嵌って係止するようになっている。袋ナット４の内周には内鍔２４を設けてあり、この内鍔２４が座金２３を介してストッパー２２に係止するようになっている。また袋ナット４には外周に突出する係止鍔１０を設けてある。
【００１５】
シャワーヘッド２は図２に示すようにシャワーヘッド本体５とカバー８と水座ナット２５とで構成されている。シャワーヘッド本体５はインナーカップ２６とパッキン２７とシャワーフェイスと称される散水板２８で主体が構成されている。
【００１６】
インナーカップ２６は図５に示すように円盤状に形成されて上面の中央には円筒状の接続筒６を突設されており、接続筒６の外周には雄ねじ部７を設けてある。この接続筒６内には図１０（ｂ）のように積み重ねたパッキン３０とブッシュ３１と皿ばね３２が内装される。インナーカップ２６の外周には雄ねじ部３３を設けてあり、インナーカップ２６の下面には放射状に上仕切りリブ３４ａが設けられている。またインナーカップ２６には複数の取り付け孔３５を上下に貫通するように穿孔してあり、またインナーカップ２６の上面には複数の係合突起１３を周方向に設けてある。この係合突起１３は横片１３ａと縦片１３ｂとで断面略逆Ｌ字状に形成されている。
【００１７】
散水板２８は図７に示すように円盤状に形成されており、微細な散水孔３６が多数点在するように穿孔してあり、散水板２８の上面には上記上仕切りリブ３４ａに対応するように下仕切りリブ３４ｂを設けてある。この散水板２８には上記取り付け孔３５に対応する固定孔３７を下仕切りリブ３４ｂの位置で設けてあり、この固定孔３７にインサートナット３８を埋設してある。そしてこの固定孔３７のインサートナット３８に連結ボルト３９の先端を螺合して連結ボルト３９を植設してある。パッキン２７は図６に示すように円環状に形成されており、上仕切りリブ３４ａや下仕切りリブ３４ｂに対応するように中仕切りリブ３４ｃを設けてあり、中仕切りリブ３４ｃに固定孔３７や取り付け孔３５に対応するように挿通孔４１を穿孔してある。
【００１８】
インナーカップ２６と散水板２８とパッキン２７とでシャワーヘッド本体５が組み立てられるのであるが、散水板２８の上にパッキン２７を介してインナーカップ２６が重ねられられて一体化するように組み立てられる。このとき下仕切りリブ３４ｂと中仕切りリブ３４ｃと上仕切りリブ３４ａとが対応させられる。散水板２８にパッキン２７を介してインナーカップ２６を重ねたとき連結ボルト３９が挿通孔４１及び取り付け孔３５に図９に示すように挿通され、連結ボルト３９の係止溝４２にＥリング４３を係止することでインナーカップ２６と散水板２８とが一体化される。このようにインナーカップ２６と散水板２８とが一体化されることによりインナーカップ２６と散水板２８との間に水流入空間４５が形成されるが、この水流入空間４５は上記上仕切りリブ３４ａ、下仕切りリブ３４ｂ及び中仕切りリブ３４ｃよりなる仕切りリブ３４にて複数の分割空間に仕切られている。また上記接続筒６内は水流入空間４５の各分割空間に連通している。
【００１９】
このように組み立てられたシャワーヘッド本体５はシャワー給水管１の先端に取り付けられるものであり、接続筒６内のパッキン３０とブッシュ３１と皿ばね３２とを内装した球面受部１２にシャワー給水管１の球面部１１が挿入され、接続筒６の雄ねじ部７に袋ナット４を図１０（ｃ）（ｄ）のように螺合することにより取り付けられる。このようにシャワーヘッド本体５を取り付けることでシャワーヘッド本体５が首振り自在になるように取り付けられる。
【００２０】
カバー８は図３に示すように円盤状に形成されており、中央に挿通孔９を穿孔してある。この挿通孔９の径は袋ナット４の外径より大きく係止鍔１０の外径より小さく形成されている。このカバー８の下面には係合突起１３に対応するように複数個の被係合突起１４を周方向に設けてある。この被係合突起１４は縦片１４ａと横片１４ｂとで断面Ｌ字状に形成されると共に周方向の端部に止め片１４ｃを設けて形成されている。この被係合突起１４の縦片１４ａには図４に示すように密着用突起１５を突設してある。
【００２１】
このカバー８の挿通孔９は図１０（ｅ）に示すようにシャワー給水管１に挿通してあり、カバー８の挿通孔９を袋ナット４の外周に挿通し、カバー８を回転して係合突起１３と被係合突起１４とを図８に示すように係合させてカバー８をシャワーヘッド本体５に装着してある。カバー８を回転して係合突起１３と被係合突起１４とを係合するとき係合突起１３が止め片１４ｃに当る位置まで回転させられる。またこのとき、密着用突起１５が係合突起１４の横片１４ａの先端に密着する。このようにカバー８を取り付けた状態でカバー８の挿通孔９の孔縁が袋ナット４の係止鍔１０に係止する。
【００２２】
水座ナット２５は円環状に形成されており、内周に雌ねじ部４６を設けてある。この水座ナット２５はシャワーヘッド本体５の下から被嵌され、雌ねじ部４６をシャワーヘッド本体５の外周の雄ねじ部３３に螺合することで水座ナット２５をシャワーヘッド本体５に取り付けてある。
【００２３】
上記のようにシャワー給水管１の先端にシャワーヘッド２が取り付けられるが、球面部１１と球面受部１２との嵌合でシャワーヘッド２が首振り自在であり、シャワーヘッド２が自由な方向を向き使い勝手がよい。このようにシャワーヘッド２が首振り自在であるために袋ナット４と雄ねじ部７との螺合が緩むように力がかかる可能性があるが、シャワーヘッド本体５に取り付けたカバー８の挿通孔９の孔縁が袋ナット４の係止鍔１０に係止しているために袋ナット４と雄ねじ部７との螺合の緩み止めがされ、シャワーヘッド２の脱落のおそれがない。またカバー８はカバー８を回転することにより、係合突起１３と被係合突起１４とを係合させて取り付けられており、カバー８の取り付けが容易にできる。またカバー８は係合突起１３と被係合突起１４との係合で取り付けられていても、係合突起１３と被係合突起１４とを係合したとき密着用突起１５が係合突起１３に密着するので不用意に係合突起１３と被係合突起１４との係合が外れてカバー８が外れるおそれがない。また係合突起１３と被係合突起１４との係合を外すことによりカバー８を取り外すことができるためにカバー８を外すことで袋ナット４と雄ねじ部７の螺合を外してシャワーヘッド２を容易に外すことができる。
【図面の簡単な説明】
【００２４】
【図１】本発明の実施の形態の一例のシャワーヘッドの取り付け状態を示す一部省略断面図である。
【図２】同上のシャワーヘッドの分解断面図である。
【図３】同上のカバーを示し、（ａ）は正面から見た断面図、（ｂ）は底面図である
【図４】同上の被係止突起の構造を説明するたの一部を切欠した拡大底面図である。
【図５】同上のインナーカップを示し、（ａ）は平面図、（ｂ）は（ａ）のＡ−Ａ′線断面図、（ｃ）は底面図である。
【図６】同上のパッキンの平面図である。
【図７】同上の散水板の平面図である。
【図８】同上の係合突起と被係合突起を係合した部分を拡大せる断面図である。
【図９】（ａ）（ｂ）はインナーカップと散水板とを連結ボルトで連結する状態を説明する断面図である。
【図１０】（ａ）（ｂ）（ｃ）（ｄ）（ｅ）は同上の組み立て方を説明するための斜視図である。
【図１１】同上のシャワー装置を浴室の設けた状態を示し、（ａ）は正面から見た断面図、（ｂ）は平面から見た断面図である。
【図１２】（ａ）（ｂ）は従来のシャワー給水管へのシャワーヘッドの取り付けを説明する正面図である。
【符号の説明】
【００２５】
１  シャワー給水管  
２  シャワーヘッド
４  袋ナット  
５  シャワーヘッド本体
７  雄ねじ部
８  カバー
９  挿通孔
１０  係止鍔
１１  球面部
１２  球面受部
１３  係合突起
１４  被係合突起
１５  密着用突起
【図１】
2006006615.tif 000003
【図２】
2006006615.tif 000004
【図３】
2006006615.tif 000005
【図４】
2006006615.tif 000006
【図５】
2006006615.tif 000007
【図６】
2006006615.tif 000008
【図７】
2006006615.tif 000009
【図８】
2006006615.tif 000010
【図９】
2006006615.tif 000011
【図１０】
2006006615.tif 000012
【図１１】
2006006615.tif 000013
【図１２】
2006006615.tif 000014